(57)【要約】【課題】太陽光発電部で発電した電力を負荷で有効に活用することが可能な電力供給システムを提供する。【解決手段】第Ｎ太陽光発電部２（Ｎ）を有する第Ｎ蓄電システム１（Ｎ）と、第Ｎ蓄電システム１（Ｎ）よりも負荷Ｈ側に配置され、第一蓄電池３（１）から第Ｎ−１蓄電池３（Ｎ−１）までを有する第一蓄電システム１（１）から第Ｎ−１蓄電システム１（Ｎ−１）までと、系統電源Ｋへと逆潮流される電力を検出可能な第Ｎセンサ５（Ｎ）と、第Ｎセンサ５（Ｎ）の検出結果を取得可能であると共に第一蓄電池３（１）から第Ｎ−１蓄電池３（Ｎ−１）までを制御可能に構成され、第Ｎセンサ５（Ｎ）が逆潮流される電力を検出した場合に、第一蓄電池３（１）から第Ｎ−１蓄電池３（Ｎ−１）までの放電を規制する制御部６０と、を具備する。【選択図】図４
2018107845.tif 000002
【特許請求の範囲】
【請求項１】
自然エネルギーを利用して発電可能であると共に当該発電された電力を負荷へと供給可能な発電部を有する第一の供給部と、
前記第一の供給部よりも前記負荷側に配置され、前記第一の供給部で発電された電力及び系統電源からの電力を充電可能であると共に、当該充電された電力を放電して前記負荷へと供給可能な蓄電池を有する第二の供給部と、
前記系統電源へと逆潮流される電力を検出可能な検出部と、
前記検出部の検出結果を取得可能であると共に前記蓄電池を制御可能に構成され、前記検出部が前記逆潮流される電力を検出した場合に、前記蓄電池の放電を規制する制御部と、
を具備する、
電力供給システム。
【請求項２】
前記制御部は、
前記検出部が前記逆潮流される電力を検出した場合に、前記蓄電池を放電不能な状態に変更する、
請求項１に記載の電力供給システム。
【請求項３】
前記制御部は、
前記検出部が前記逆潮流される電力を検出した場合に、前記蓄電池を充電可能、かつ放電不能な状態に変更する、
請求項１に記載の電力供給システム。
【請求項４】
電力の供給態様として、前記発電部で発電した電力の売電を目的とする第一のモードを有し、
前記蓄電池は、
前記第一のモードにおいて、第一の時間から第二の時間までの間、放電可能な状態となり、
前記制御部は、
前記第一のモードにおいて、前記検出部が前記逆潮流される電力を検出し、かつ前記第二の時間が現在の時刻よりも後である場合に、前記第二の時間を前記現在の時刻に設定する、
請求項２に記載の電力供給システム。
【請求項５】
前記制御部は、
前記第一のモードにおいて、前記検出部が前記逆潮流される電力を検出し、かつ前記第二の時間が前記現在の時刻よりも後である場合に、前記第一の時間を前記発電部が電力を発電できない時刻に設定する、
請求項４に記載の電力供給システム。
【請求項６】
電力の供給態様として、前記発電部で発電した電力の売電を目的とする第一のモードを有し、
前記蓄電池は、
前記第一のモードにおいて、第三の時間から第四の時間までの間、充電可能、かつ放電不能な状態となり、
前記制御部は、
前記第一のモードにおいて、前記検出部が前記逆潮流される電力を検出し、かつ前記第三の時間が現在の時刻よりも後である場合に、前記第三の時間を前記現在の時刻に設定する、
請求項３に記載の電力供給システム。
【請求項７】
前記制御部は、
前記第一のモードにおいて、前記検出部が前記逆潮流される電力を検出し、かつ前記第三の時間が前記現在の時刻よりも後である場合に、前記第四の時間を前記発電部が電力を発電できない時刻に設定する、
請求項６に記載の電力供給システム。
【請求項８】
電力の供給態様として、前記発電部で発電した電力を前記負荷で消費することを目的とする第二のモードを有し、
前記制御部は、
前記第二のモードにおいて、前記検出部が前記逆潮流される電力を検出した場合に、前記蓄電池の前記電力の供給態様を前記第一のモードに切り替える、
請求項４から請求項７までのいずれか一項に記載の電力供給システム。
【請求項９】
前記第一の供給部は、
前記発電部で発電された電力及び前記系統電源からの電力を充電可能であると共に、当該充電された電力を放電して前記負荷へと供給可能な蓄電池を有する、
請求項１から請求項８までのいずれか一項に記載の電力供給システム。
【請求項１０】
前記第二の供給部は、
自然エネルギーを利用して発電可能な発電部をさらに有する、
請求項１から請求項９までのいずれか一項に記載の電力供給システム。
【発明の詳細な説明】
【技術分野】
【０００１】
本発明は、自然エネルギーを利用して発電可能な発電部と、電力を充放電可能な蓄電池とを有する電力供給システムの技術に関する。
【背景技術】
【０００２】
従来、自然エネルギーを利用して発電可能な発電部と、電力を充放電可能な蓄電池とを有する電力供給システムの技術は公知となっている。例えば、特許文献１に記載の如くである。
【０００３】
特許文献１に記載される電力供給システムは、発電部（太陽光発電部）と、蓄電池と、ハイブリッドパワコンと、を具備する。ハイブリッドパワコンの制御部は、発電部の発電状態等に応じて蓄電池を制御する。これによって、発電部で発電した電力及び蓄電池から放電した電力を負荷へ供給している。
【０００４】
しかし、特許文献１において、発電部、蓄電池及びハイブリッドパワコンが複数設けられた場合、当該複数のハイブリッドパワコンは、個別に蓄電池を制御することとなる。この場合、上流側の発電部で発電した電力を逆潮流させているにも関わらず、下流側の蓄電池を放電させてしまう可能性がある（図２に示す太陽光発電部２（Ｎ）及び蓄電池３（１）参照）。この場合、上流側の発電部で発電した電力で負荷の消費電力を賄えなくなってしまう。このように、従来技術においては、発電部による売電と蓄電池による放電とが同時に行われてしまい、発電部で発電した電力を負荷で有効に活用することができなくなってしまう。
【先行技術文献】
【特許文献】
【０００５】
【特許文献１】特開２０１６−１４０１２５号公報
【発明の概要】
【発明が解決しようとする課題】
【０００６】
本発明は、以上の如き状況を鑑みてなされたものであり、その解決しようとする課題は、発電部で発電した電力を負荷で有効に活用することが可能な電力供給システムを提供するものである。
【課題を解決するための手段】
【０００７】
本発明の解決しようとする課題は以上の如くであり、次にこの課題を解決するための手段を説明する。
【０００８】
即ち、請求項１においては、自然エネルギーを利用して発電可能であると共に当該発電された電力を負荷へと供給可能な発電部を有する第一の供給部と、前記第一の供給部よりも前記負荷側に配置され、前記第一の供給部で発電された電力及び系統電源からの電力を充電可能であると共に、当該充電された電力を放電して前記負荷へと供給可能な蓄電池を有する第二の供給部と、前記系統電源へと逆潮流される電力を検出可能な検出部と、前記検出部の検出結果を取得可能であると共に前記蓄電池を制御可能に構成され、前記検出部が前記逆潮流される電力を検出した場合に、前記蓄電池の放電を規制する制御部と、を具備するものである。
【０００９】
請求項２においては、前記制御部は、前記検出部が前記逆潮流される電力を検出した場合に、前記蓄電池を放電不能な状態に変更するものである。
【００１０】
請求項３においては、前記制御部は、前記検出部が前記逆潮流される電力を検出した場合に、前記蓄電池を充電可能、かつ放電不能な状態に変更するものである。
【００１１】
請求項４においては、電力の供給態様として、前記発電部で発電した電力の売電を目的とする第一のモードを有し、前記蓄電池は、前記第一のモードにおいて、第一の時間から第二の時間までの間、放電可能な状態となり、前記制御部は、前記第一のモードにおいて、前記検出部が前記逆潮流される電力を検出し、かつ前記第二の時間が現在の時刻よりも後である場合に、前記第二の時間を前記現在の時刻に設定するものである。
【００１２】
請求項５においては、前記制御部は、前記第一のモードにおいて、前記検出部が前記逆潮流される電力を検出し、かつ前記第二の時間が前記現在の時刻よりも後である場合に、前記第一の時間を前記発電部が電力を発電できない時刻に設定するものである。
【００１３】
請求項６においては、電力の供給態様として、前記発電部で発電した電力の売電を目的とする第一のモードを有し、前記蓄電池は、前記第一のモードにおいて、第三の時間から第四の時間までの間、充電可能、かつ放電不能な状態となり、前記制御部は、前記第一のモードにおいて、前記検出部が前記逆潮流される電力を検出し、かつ前記第三の時間が現在の時刻よりも後である場合に、前記第三の時間を前記現在の時刻に設定するものである。
【００１４】
請求項７においては、前記制御部は、前記第一のモードにおいて、前記検出部が前記逆潮流される電力を検出し、かつ前記第三の時間が前記現在の時刻よりも後である場合に、前記第四の時間を前記発電部が電力を発電できない時刻に設定するものである。
【００１５】
請求項８においては、電力の供給態様として、前記発電部で発電した電力を前記負荷で消費することを目的とする第二のモードを有し、前記制御部は、前記第二のモードにおいて、前記検出部が前記逆潮流される電力を検出した場合に、前記蓄電池の前記電力の供給態様を前記第一のモードに切り替えるものである。
【００１６】
請求項９においては、前記第一の供給部は、前記発電部で発電された電力及び前記系統電源からの電力を充電可能であると共に、当該充電された電力を放電して前記負荷へと供給可能な蓄電池を有するものである。
【００１７】
請求項１０においては、前記第二の供給部は、自然エネルギーを利用して発電可能な発電部をさらに有するものである。
【発明の効果】
【００１８】
本発明の効果として、以下に示すような効果を奏する。
【００１９】
請求項１においては、発電部で発電した電力を負荷で有効に活用することができる。
【００２０】
請求項２においては、発電部で発電した電力を負荷で有効に活用することができる。
【００２１】
請求項３においては、発電部で発電した電力を負荷及び蓄電池で有効に活用することができる。
【００２２】
請求項４においては、簡単に蓄電池の放電を停止することができる。
【００２３】
請求項５においては、蓄電池に充電した電力を負荷で有効に活用することができる。
【００２４】
請求項６においては、簡単に蓄電池の放電を停止することができる。
【００２５】
請求項７においては、蓄電池に充電した電力を負荷で有効に活用することができる。
【００２６】
請求項８においては、電力の供給態様が第二のモードである場合に、第一のモードを利用して蓄電池の充電を規制することができる。
【００２７】
請求項９においては、発電部で発電した電力を多くの蓄電池に充電することができる。
【００２８】
請求項１０においては、自然エネルギーを利用して、より多くの電力を発電することができる。
【図面の簡単な説明】
【００２９】
【図１】第一実施形態に係る電力供給システムを示したブロック図。
【図２】売電放電状態を示したブロック図。
【図３】売電モードが設定されている場合の放電停止処理を示したフローチャート。
【図４】放電停止処理を実行した後の状態を示したブロック図。
【図５】エコモードが設定されている場合の放電停止処理を示したフローチャート。
【図６】第二実施形態において、売電モードが設定されている場合の放電停止処理を示したフローチャート。
【図７】第二実施形態において、エコモードが設定されている場合の放電停止処理を示したフローチャート。
【図８】第三実施形態に係る電力供給システムを示したブロック図。
【図９】第三実施形態における売電放電状態を示したブロック図。
【図１０】第三実施形態において、売電モードが設定されている場合の放電停止処理を示したフローチャート。
【図１１】第三実施形態において、放電停止処理を実行した後の状態を示したブロック図。
【図１２】第三実施形態において、エコモードが設定されている場合の放電停止処理を示したフローチャート。
【図１３】第四実施形態において、売電モードが設定されている場合の放電停止処理を示したフローチャート。
【図１４】第四実施形態において、エコモードが設定されている場合の放電停止処理を示したフローチャート。
【図１５】第五実施形態に係る電力供給システムを示したブロック図。
【図１６】第五実施形態における売電放電状態を示したブロック図。
【図１７】第五実施形態において、売電モードが設定されている場合の放電停止処理を示したフローチャート。
【図１８】第五実施形態において、放電停止処理を実行した後の状態を示したブロック図。
【図１９】第五実施形態において、エコモードが設定されている場合の放電停止処理を示したフローチャート。
【図２０】第六実施形態において、売電モードが設定されている場合の放電停止処理を示したフローチャート。
【図２１】第六実施形態において、エコモードが設定されている場合の放電停止処理を示したフローチャート。
【図２２】第七実施形態に係る電力供給システムを示したブロック図。
【発明を実施するための形態】
【００３０】
以下では、図１から図５までを参照して、本発明の一実施形態に係る電力供給システム１について説明する。
【００３１】
電力供給システム１は、住宅等に設けられ、系統電源Ｋからの電力や、太陽光を利用して発電された電力を負荷Ｈへと供給するものである。電力供給システム１は、主として第一蓄電システム１（１）から第Ｎ蓄電システム１（Ｎ）までと、制御部６０と、を具備する。なお、第Ｎ蓄電システム１（Ｎ）の「Ｎ」は、蓄電システムの設置数を示す変数であり、具体的には２以上の整数が入ることを示している。
【００３２】
第一蓄電システム１（１）は、太陽光を利用して発電された電力を蓄電したり、負荷Ｈへと供給するものである。第一蓄電システム１（１）は、第一太陽光発電部２（１）、第一蓄電池３（１）、第一ハイブリッドパワコン４（１）及び第一センサ５（１）を具備する。
【００３３】
第一太陽光発電部２（１）は、太陽光を利用して発電する装置である。第一太陽光発電部２（１）は、太陽電池パネル等により構成される。第一太陽光発電部２（１）は、例えば、住宅の屋根の上等の日当たりの良い場所に設置される。
【００３４】
第一蓄電池３（１）は、電力を充電可能に構成されるものである。第一蓄電池３（１）は、例えば、リチウムイオン電池により構成される。第一蓄電池３（１）は、後述する第一ハイブリッドパワコン４（１）等を介して第一太陽光発電部２（１）と接続される。
【００３５】
第一ハイブリッドパワコン４（１）は、電力を適宜変換するもの（ハイブリッドパワーコンディショナ）である。第一ハイブリッドパワコン４（１）は、第一太陽光発電部２（１）で発電された電力及び第一蓄電池３（１）から放電された電力を負荷Ｈに出力可能であると共に、第一太陽光発電部２（１）で発電された電力及び系統電源Ｋからの電力を第一蓄電池３（１）に出力可能に構成される。第一ハイブリッドパワコン４（１）は、系統電源Ｋから負荷Ｈへと電力を供給する電力経路Ｌの第一接続点Ｐ１（１）と接続される。
【００３６】
第一センサ５（１）は、電力経路Ｌにおいて、第一接続点Ｐ１（１）と第二蓄電システムが接続される第二接続点（不図示）との間に設けられる。第一センサ５（１）は、設けられた箇所を流通する電力（例えば、負荷Ｈ及び第一蓄電池３（１）へと供給される電力）の電圧（供給電圧）及び電流（供給電流）を検出する。第一センサ５（１）は、第一ハイブリッドパワコン４（１）と接続され、検出結果に関する信号を第一ハイブリッドパワコン４（１）へ出力可能に構成される。
【００３７】
第二蓄電システム（不図示）から第Ｎ蓄電システム１（Ｎ）までは、電力経路Ｌとの接続箇所が異なる点を除いて、第一蓄電システム１（１）と同様に構成される。第二蓄電システムから第Ｎ蓄電システム１（Ｎ）までは、電力経路Ｌの第一接続点Ｐ１（１）（第一蓄電システム１（１））よりも上流側（系統電源Ｋ側）に配置される接続点（図１に示す第Ｎ−１接続点Ｐ１（Ｎ−１）及び第Ｎ接続点Ｐ１（Ｎ）参照）と順番に接続される。このような第一蓄電システム１（１）から第Ｎ蓄電システム１（Ｎ）までにおいては、第Ｎ蓄電システム１（Ｎ）が最も上流側に配置される。
【００３８】
制御部６０は、蓄電システム１（１〜Ｎ）の情報を管理すると共に、当該蓄電システム１（１〜Ｎ）の動作を制御するものである。制御部６０は、主としてＣＰＵ等の演算処理装置、ＲＡＭやＲＯＭ等の記憶装置、並びにタッチパネル等の入出力装置等により構成される。制御部６０は、太陽光発電部２（１〜Ｎ）で発電された電力の出力や、蓄電池３（１〜Ｎ）の充放電を制御することができる。また、制御部６０は、プログラムや種々の情報を前記記憶装置に格納しており、当該プログラムや種々の情報を演算処理装置で読み込んで処理することで、後述する売電モード及びエコモードを実行することができる。このような制御部６０は、例えば、ＥＭＳ（Ｅｎｅｒｇｙ  Ｍａｎａｇｅｍｅｎｔ  Ｓｙｓｔｅｍ）によって構成される。
【００３９】
また、制御部６０は、ハイブリッドパワコン４（１〜Ｎ）と接続される。制御部６０は、ハイブリッドパワコン４（１〜Ｎ）から出力された信号により、センサ５（１〜Ｎ）の検出結果や太陽光発電部２（１〜Ｎ）及び蓄電池３（１〜Ｎ）の運転状態に関する情報を取得することができる。
【００４０】
以下では、上述の如く構成された電力供給システム１において、蓄電池３（１〜Ｎ）及び負荷Ｈへ電力を供給する流れについて、簡単に説明する。
【００４１】
系統電源Ｋや、太陽光発電部２（１〜Ｎ）からの電力は、電力経路Ｌを介して負荷Ｈへ供給される。こうして、住宅の居住者は、系統電源Ｋや、太陽光発電部２（１〜Ｎ）からの電力を用いて照明を点灯させたり、調理器具やエアコンを使用したりすることができる。
【００４２】
この場合において、負荷Ｈの消費電力が太陽光発電部２（１〜Ｎ）からの電力だけで賄える場合には、系統電源Ｋからの電力を用いないことも可能である。このようにして系統電源Ｋからの買電量を減少させ、電力料金を節約することができる。
【００４３】
また、系統電源Ｋや、太陽光発電部２（１〜Ｎ）からの電力は、適宜の時間帯に蓄電池３（１〜Ｎ）に供給することができる。蓄電池３（１〜Ｎ）に供給された電力は、当該蓄電池３（１〜Ｎ）に充電することができる。蓄電池３（１〜Ｎ）が充電される時間帯は、居住者の任意に設定することができる。例えば、前記時間帯を深夜に設定すれば、料金の安い深夜電力を蓄電池３（１〜Ｎ）に充電することができる。また、前記時間帯を昼間の時間帯に設定すれば、太陽光発電部２（１〜Ｎ）からの電力を蓄電池３（１〜Ｎ）に充電することができる。
【００４４】
また、蓄電池３（１〜Ｎ）に充電された電力は、電力経路Ｌを介して負荷Ｈへ供給することができる。具体的には、蓄電池３（１〜Ｎ）を放電すると、当該放電された電力が電力経路Ｌを介して負荷Ｈに供給される。蓄電池３（１〜Ｎ）が放電される時間帯は、居住者の任意に設定することができる。例えば、前記時間帯を昼間の時間帯に設定すれば、蓄電池３（１〜Ｎ）に充電した料金の安い深夜電力を当該昼間の時間帯に用いることができる。こうして、昼間の時間帯に系統電源Ｋからの電力量（買電量）を減少させ、電力料金を節約することができる。
【００４５】
次に、電力供給システム１における電力の供給態様（モード）について説明する。
【００４６】
電力供給システム１では、電力の供給態様として、売電モード及びエコモードを有する。売電モード及びエコモードは、例えば、住宅の居住者により制御部６０の前記タッチパネルが操作されることで、任意に設定可能に構成される。
【００４７】
売電モードは、太陽光発電部２（１〜Ｎ）で発電した電力の売電（系統電源Ｋへと逆潮流させて金銭的な利益を得ること）を目的としたモードである。また、売電モードは、蓄電池３（１〜Ｎ）を充放電する時間帯を任意に設定することができるモードである。
【００４８】
より詳細には、売電モードにおいて、蓄電池３（１〜Ｎ）には、充電を開始する時間（以下、「充電開始時間」と称する）と、充電を終了する時間（以下、「充電終了時間」と称する）と、が設定されている。本実施形態において、充電開始時間から充電終了時間までの時間帯は、深夜の時間帯となるように設定されている。例えば、充電開始時間が２３時、充電終了時間が７時に設定されていると、蓄電池３（１〜Ｎ）は、２３時から翌日の７時まで充電する。
【００４９】
また、売電モードにおいて、蓄電池３（１〜Ｎ）には、放電を開始する時間（以下、「放電開始時間」と称する）と、放電を終了する時間（以下、「放電終了時間」と称する）と、が設定されている。本実施形態において、放電開始時間から放電終了時間までの時間帯は、昼間の時間帯となるように設定されている。例えば、放電開始時間が８時、放電終了時間が２０時に設定されていると、蓄電池３（１〜Ｎ）は、８時から２０時まで必要に応じて放電する。
【００５０】
このような充電開始時間、充電終了時間、放電開始時間及び放電終了時間は、例えば、住宅の居住者により制御部６０の前記タッチパネルが操作されることで、任意に設定可能に構成される。また、充電開始時間、充電終了時間、放電開始時間及び放電終了時間は、制御部６０の前記記憶装置に格納される。
【００５１】
なお、売電モードにおいて、ハイブリッドパワコン４（１〜Ｎ）は、蓄電池３（１〜Ｎ）に充電された電力量（容量）を確認し、当該確認した電力量に応じて充放電の可否を適宜判断する。例えば、ハイブリッドパワコン４（１〜Ｎ）は、蓄電池３（１〜Ｎ）の残量がない場合、放電指示を出さない。ハイブリッドパワコン４（１〜Ｎ）は、蓄電池３（１〜Ｎ）が満充電である場合、充電指示を出さない。また、ハイブリッドパワコン４（１〜Ｎ）は、充電開始時間から充電終了時間までの時間帯に蓄電池３（１〜Ｎ）が満充電となった場合、放電指示も出さない。また、ハイブリッドパワコン４（１〜Ｎ）は、充電開始時間から充電終了時間までの時間帯と放電開始時間から放電終了時間までの時間帯とが重複していた場合、蓄電池３（１〜Ｎ）の充電を優先する。
【００５２】
エコモードは、太陽光発電部２（１〜Ｎ）で発電した電力の負荷Ｈでの消費（負荷Ｈで消費することで省エネ効果を得ること）を目的としたモードである。
【００５３】
エコモードが設定された場合、太陽光発電部２（１〜Ｎ）で発電が行われている場合には、当該太陽光発電部２（１〜Ｎ）からの電力が負荷Ｈの消費電力に対して余剰すると、当該余剰電力が系統電源Ｋへと逆潮流されずに蓄電池３（１〜Ｎ）に充電される。蓄電池３（１〜Ｎ）が満充電となると、当該余剰電力が系統電源Ｋへと逆潮流される。また、エコモードが設定された場合、太陽光発電部２（１〜Ｎ）からの電力が負荷Ｈの消費電力に対して不足すると、蓄電池３（１〜Ｎ）が放電されて当該蓄電池３（１〜Ｎ）からの電力が負荷Ｈに供給される。
【００５４】
このように、エコモードでは、売電モードのように予め設定された時間に応じて蓄電池３（１〜Ｎ）が充放電するのではなく、太陽光発電部２（１〜Ｎ）からの電力と負荷Ｈの消費電力との大小関係（太陽光発電部２（１〜Ｎ）からの電力が余剰するか否か）に応じて蓄電池３（１〜Ｎ）が充放電する。なお、制御部６０は、このような売電モード及びエコモードを、蓄電システム１（１〜Ｎ）（蓄電池３（１〜Ｎ））毎に異なる設定にすることができる。
【００５５】
以上のような売電モード及びエコモードにおいて、負荷Ｈには、下流側に配置される蓄電システムから電力が優先的に供給される。当該電力を供給する蓄電システムは、太陽光発電部及び蓄電池のうち、太陽光発電部からの電力を負荷Ｈへ優先的に供給する。このような構成において、図２に示すような、太陽光発電部による売電と蓄電池の放電とが同時に行われる場合がある。
【００５６】
具体的には、図２に示すように、２０００Ｗの電力を消費している負荷Ｈには、最も下流側に配置される第一蓄電システム１（１）から最初に電力が供給される。当該第一蓄電システム１（１）は、第一太陽光発電部２（１）からの電力（１０００Ｗ）を負荷Ｈに対して優先的に供給する。この際、第一センサ５（１）は、１０００Ｗを検出し、その検出結果に関する信号を第一ハイブリッドパワコン４（１）に送信する。第一ハイブリッドパワコン４（１）は、第一センサ５（１）の検出結果に基づいて、第一太陽光発電部２（１）からの電力で負荷Ｈの消費電力を賄えていないことを検知し、第一蓄電池３（１）を放電させる。この際、第一ハイブリッドパワコン４（１）は、第一センサ５（１）の検出結果に基づいて第一蓄電池３（１）から放電させる電力量を決定する負荷追従運転を行う。これにより、図２に示す第一蓄電池３（１）は、１０００Ｗの電力を放電する。これによって、図２に示す第一蓄電システム１（１）は、第一太陽光発電部２（１）及び第一蓄電池３（１）からの電力で負荷Ｈの消費電力を賄うこととなる。
【００５７】
図２に示す状態において、第一蓄電システム１（１）よりも上流側に配置される第二蓄電システムから第Ｎ蓄電システム１（Ｎ）までの太陽光発電部は、第一太陽光発電部２（１）と同様に１０００Ｗの電力を発電している。負荷Ｈの消費電力が第一蓄電システム１（１）からの電力によって賄われているため、当該発電された電力（１０００Ｗ）は、逆潮流される（売電される）こととなる。この場合、太陽光発電部２（１〜Ｎ）で発電された電力で負荷Ｈの消費電力を賄えるにも関わらず第一蓄電池３（１）を放電させることとなり、太陽光発電部２（１〜Ｎ）で発電された電力を負荷Ｈで有効に活用することができなくなってしまう。以下では、このような売電と放電とが同時に行われている状態（図２に示す状態）を「売電放電状態」と称する。
【００５８】
なお、第一蓄電システム１（１）からの電力（第一太陽光発電部２（１）及び第一蓄電池３（１）からの電力）で負荷Ｈの消費電力を賄えない場合、第二蓄電システムから第一蓄電システム１（１）と同様にして電力が供給される。それでも負荷Ｈの消費電力を賄えない場合、第三蓄電システムから電力が供給される。このように、売電モード及びエコモードにおいては、負荷Ｈの消費電力を賄えない場合に、第一太陽光発電部２（１）、第一蓄電池３（１）、第二太陽光発電部、・・・、第Ｎ−１蓄電池３（Ｎ−１）、第Ｎ太陽光発電部２（Ｎ）及び第Ｎ蓄電池３（Ｎ）からの電力が順番に負荷Ｈへ供給される。
【００５９】
本実施形態に係る制御部６０は、放電停止処理を行うことで、図２に示すような売電放電状態となることを抑制して、太陽光発電部２（１〜Ｎ）で発電された電力を有効に活用することができるようにしている。
【００６０】
以下では、図３から図５までを参照して、放電停止処理について説明する。
【００６１】
放電停止処理は、初期設定において、蓄電システム１（１〜Ｎ）に対して売電モードが設定されている場合とエコモードが設定されている場合とでその処理の内容が異なる。このため、まず、蓄電システム１（１〜Ｎ）に対して売電モードが設定されている場合の放電停止処理の内容について説明する。
【００６２】
図３に示すように、まず、ステップＳ１０において、制御部６０は、第Ｎ太陽光発電部２（Ｎ）が売電しているか（第Ｎ太陽光発電部２（Ｎ）で発電された電力を逆潮流させているか）を確認する。このとき、制御部６０は、第Ｎハイブリッドパワコン４（Ｎ）から第Ｎセンサ５（Ｎ）の検出結果を取得する。そして、制御部６０は、当該取得結果に基づいて、第Ｎ太陽光発電部２（Ｎ）が売電しているか否かを確認する。
【００６３】
前述の如く、負荷Ｈには、下流側に配置される蓄電システムから電力が優先的に供給される。このため、最も上流側に配置される第Ｎ蓄電システム１（Ｎ）の第Ｎ太陽光発電部２（Ｎ）が売電していなければ、その下流側に配置される第一太陽光発電部２（１）から第Ｎ−１太陽光発電部２（Ｎ−１）までも売電していないこととなる。よって、制御部６０は、第Ｎ太陽光発電部２（Ｎ）が売電しているかを確認することで、全ての太陽光発電部２（１〜Ｎ）が売電していないか否かを確認することができる。制御部６０は、第Ｎ太陽光発電部２（Ｎ）が売電していると判断した場合にステップＳ２０へ移行する。一方、制御部６０は、第Ｎ太陽光発電部２（Ｎ）が売電していないと判断した場合にステップＳ５０へ移行する。
【００６４】
ステップＳ２０において、制御部６０は、第一蓄電池３（１）から第Ｎ−１蓄電池３（Ｎ−１）まで、すなわち第Ｎ蓄電池３（Ｎ）を除く蓄電池３（１〜Ｎ−１）の放電終了時間が現在の時刻よりも前であるか否かを確認する。このとき、制御部６０は、前記記憶装置から蓄電池３（１〜Ｎ−１）の放電終了時間を取得する。また、制御部６０は、自身に備えられた時計機能を用いて現在の時刻を取得する。そして、制御部６０は、取得した放電終了時間と現在の時刻とを比較することで、放電終了時間が現在の時刻よりも前であるか否かを確認する。この際、制御部６０は、蓄電池３（１〜Ｎ−１）の全ての放電終了時間が現在の時刻よりも前である場合に限り、蓄電池３（１〜Ｎ−１）の放電終了時間が現在の時刻よりも前であると判断する。
【００６５】
仮に、蓄電池３（１〜Ｎ−１）の放電終了時間が現在の時刻よりも前である場合、蓄電池３（１〜Ｎ−１）は、既に放電不能な状態となっている。この場合、第Ｎ太陽光発電部２（Ｎ）が売電していても、蓄電池３（１〜Ｎ−１）が放電することはない。また、第Ｎ蓄電池３（Ｎ）は、放電可能な状態であっても（放電終了時間が現在の時刻よりも前でない場合でも）、第Ｎ太陽光発電部２（Ｎ）が売電していると、第Ｎハイブリッドパワコン４（Ｎ）によって放電の必要がないと判断されて、放電が停止される。このように、蓄電池３（１〜Ｎ−１）の放電終了時間が現在の時刻よりも前である場合（ステップＳ２０：ＹＥＳ）、全ての蓄電池３（１〜Ｎ）が放電不能な状態となっており、売電放電状態にはならない。このため、制御部６０は、ステップＳ２０において放電終了時間が現在の時刻よりも前であると判断した場合に、放電停止処理を終了する。
【００６６】
一方、蓄電池３（１〜Ｎ−１）の放電終了時間が現在の時刻よりも前でない場合（ステップＳ２０：ＮＯ）、蓄電池３（１〜Ｎ−１）は、放電可能な状態となっている。この場合、第Ｎ太陽光発電部２（Ｎ）等が売電中に蓄電池３（１〜Ｎ−１）が放電し、売電放電状態になる可能性がある。この場合、制御部６０は、ステップＳ３０へ移行する。
【００６７】
ステップＳ３０において、制御部６０は、第一ハイブリッドパワコン４（１）から第Ｎ−１ハイブリッドパワコン４（Ｎ−１）までに適宜信号を送信し、蓄電池３（１〜Ｎ−１）の放電終了時間を現在の時間に変更する。これにより、制御部６０は、ハイブリッドパワコン４（１〜Ｎ−１）を介して蓄電池３（１〜Ｎ−１）を放電不能な状態にする（放電を停止する）。制御部６０は、ステップＳ３０の処理の後、ステップＳ４０へ移行する。
【００６８】
ステップＳ４０において、制御部６０は、ステップＳ３０と同じ要領で、蓄電池３（１〜Ｎ−１）の放電終了時間を予め設定される発電停止時刻に変更する。発電停止時刻は、太陽光発電部２（１〜Ｎ）が発電できない時刻、本実施形態では日が沈んだと考えられる時刻である。具体的には、本実施形態に係る発電停止時刻は、２０時に設定されている。これにより、制御部６０は、太陽光発電部２（１〜Ｎ）が発電できなくなるまでの間、蓄電池３（１〜Ｎ−１）を放電不能な状態にすることができる。制御部６０は、ステップＳ４０の処理の後、放電停止処理を終了する。
【００６９】
これによれば、図４に示すように、制御部６０は、蓄電池３（１〜Ｎ−１）の放電を停止して売電放電状態となることを抑制し、（ステップＳ３０）、負荷Ｈの消費電力（２０００Ｗ）を太陽光発電部２（１〜Ｎ）の電力のみで賄うようにすることができる。このため、太陽光発電部２（１〜Ｎ）の電力を有効に活用することができる。
【００７０】
ここで、売電放電状態となった場合、電力会社が買い取る電力の単価が売電放電状態でない場合の電力の単価よりも低くなってしまう。そこで、第一実施形態に係る放電抑制処理によって売電放電状態を抑制すれば、電力の単価が下がることなく太陽光発電部２（１〜Ｎ）の電力を売電することができる。これによって、売電による金銭的な利益が減ってしまうことを抑制することができる。
【００７１】
図３に示すように、第Ｎ太陽光発電部２（Ｎ）が売電していない場合にステップＳ１０から移行するステップＳ５０において、制御部６０は、ステップＳ１０と同じ要領で、蓄電池３（１〜Ｎ−１）の放電開始時間が現在の時刻よりも前であるか否かを確認する。
【００７２】
仮に、蓄電池３（１〜Ｎ−１）の放電開始時間が現在の時刻よりも前である場合、蓄電池３（１〜Ｎ−１）は、既に放電可能な状態となっている。この場合、蓄電池３（１〜Ｎ）は、既に放電されている。また、第Ｎ蓄電池３（Ｎ）は、第Ｎ太陽光発電部２（Ｎ）が売電していない場合、第Ｎハイブリッドパワコン４（Ｎ）によって放電の必要があると判断されて、放電されている。このように、蓄電池３（１〜Ｎ−１）の放電開始時間が現在の時刻よりも前である場合（ステップＳ５０：ＹＥＳ）、全ての蓄電池３（１〜Ｎ）が放電されて、負荷Ｈの消費電力に対して太陽光発電部２（１〜Ｎ）では不足する電力が賄われている。このため、制御部６０は、ステップＳ５０において放電開始時間が現在の時刻よりも前であると判断した場合に、放電停止処理を終了する。
【００７３】
一方、放電開始時間が現在の時刻よりも前でない場合（ステップＳ５０：ＮＯ）、蓄電池３（１〜Ｎ−１）は、前述したステップＳ３０が行われる等して放電不能な状態となっている。この場合、負荷Ｈの消費電力に対して太陽光発電部２（１〜Ｎ）では不足する電力が、第Ｎ蓄電池３（Ｎ）及び系統電源Ｋで賄われている。この場合、制御部６０は、ステップＳ６０へ移行する。
【００７４】
ステップＳ６０において、制御部６０は、ステップＳ３０と同じ要領で、蓄電池３（１〜Ｎ−１）の放電開始時間を現在の時刻に変更する。これにより、制御部６０は、蓄電池３（１〜Ｎ−１）を放電可能な状態にすることができる。これによって、蓄電池３（１〜Ｎ−１）の放電を開始して、太陽光発電部２（１〜Ｎ）からの電力では不足する電力を蓄電池３（１〜Ｎ）で賄うことができる。制御部６０は、ステップＳ６０の処理の後、ステップＳ７０へ移行する。
【００７５】
ステップＳ７０において、制御部６０は、ステップＳ３０と同じ要領で、蓄電池３（１〜Ｎ−１）の放電終了時間を予め設定される発電開始時刻に変更する。発電開始時刻は、太陽光発電部２（１〜Ｎ）が発電できる時刻、本実施形態では日が昇ると考えられる時間である。具体的には、本実施形態に係る発電開始時刻は、６時に設定されている。これにより、制御部６０は、太陽光発電部２（１〜Ｎ）が発電を開始するまでの間、蓄電池３（１〜Ｎ−１）を放電可能な状態にすることができる。制御部６０は、ステップＳ７０の処理の後、放電停止処理を終了する。
【００７６】
これによれば、制御部６０は、太陽光発電部２（１〜Ｎ）の電力では負荷Ｈの消費電力を賄えない場合に（ステップＳ１０：ＮＯ）、蓄電池３（１〜Ｎ−１）を放電させることができる（ステップＳ６０）。これによって、太陽光発電部２（１〜Ｎ）が発電していても売電放電状態となることなく、蓄電池３（１〜Ｎ）を放電させることができる。このため、太陽光発電部２（１〜Ｎ）の電力を有効に活用しつつ、必要なときに蓄電池３（１〜Ｎ）を放電させて買電量を抑制することができる。
【００７７】
次に、初期設定において、蓄電システム１（１〜Ｎ）に対してエコモードが設定されている場合の放電停止処理の内容について説明する。
【００７８】
図５に示すように、まず、ステップＳ１１０において、制御部６０は、ステップＳ１０と同様に、第Ｎ太陽光発電部２（Ｎ）が売電しているか否かを確認する。制御部６０は、第Ｎ太陽光発電部２（Ｎ）が売電していると判断した場合にステップＳ１２０へ移行する。一方、制御部６０は、第Ｎ太陽光発電部２（Ｎ）が売電していないと判断した場合にステップＳ１７０へ移行する。
【００７９】
ステップＳ１２０において、制御部６０は、蓄電池３（１〜Ｎ−１）のモードが売電モードであるか否かを確認する。このとき、制御部６０は、前記記憶装置から蓄電池３（１〜Ｎ−１）のモードを取得する。そして、制御部６０は、当該取得結果に基づいて蓄電池３（１〜Ｎ−１）のモードが売電モードであるか否かを確認する。この際、制御部６０は、蓄電池３（１〜Ｎ−１）の全てが売電モードである場合に限り、蓄電池３（１〜Ｎ−１）のモードが売電モードであると判断する。制御部６０は、蓄電池３（１〜Ｎ−１）のモードが売電モードであると判断した場合にステップＳ１４０へ移行する。一方、制御部６０は、蓄電池３（１〜Ｎ−１）のモードが売電モードでないと判断した場合にステップＳ１３０へ移行する。
【００８０】
ステップＳ１３０において、制御部６０は、ハイブリッドパワコン４（１〜Ｎ−１）に信号を送信し、蓄電池３（１〜Ｎ−１）のモードを売電モードに変更する。制御部６０は、ステップＳ１３０の処理の後、ステップＳ１５０へ移行する。
【００８１】
ステップＳＳ１４０〜Ｓ１６０において、制御部６０は、ステップＳ２０〜Ｓ４０と同様の処理を行う。すなわち、制御部６０は、蓄電池３（１〜Ｎ−１）の放電終了時間が現在の時刻よりも前であるか否かを確認し（ステップＳ１４０）、放電終了時間が現在の時刻よりも前でないと判断した場合に、蓄電池３（１〜Ｎ−１）の放電開始時間及び放電終了時間を変更する（ステップＳ１５０・Ｓ１６０）。制御部６０は、ステップＳ１６０の処理の後、放電停止処理を終了する。
【００８２】
以上のように、制御部６０は、蓄電システム１（１〜Ｎ）に対してエコモードが設定されている場合に、蓄電池３（１〜Ｎ−１）のモードを売電モードに変更すると共に、蓄電池３（１〜Ｎ−１）の放電開始時間及び放電終了時間を変更する。これにより、制御部６０は、蓄電システム１（１〜Ｎ）に対してエコモードが設定されている場合と同じように蓄電池３（１〜Ｎ）の放電を停止することができるため、売電放電状態となることを抑制できる。
【００８３】
また、第Ｎ太陽光発電部２（Ｎ）が売電していない場合にステップＳ１１０から移行するステップＳ１７０において、制御部６０は、ステップＳ１２０と同じ要領で、蓄電池３（１〜Ｎ−１）のモードがエコモードであるか否かを確認する。第Ｎ太陽光発電部２（Ｎ）が売電していない場合、売電放電状態にはならないため、蓄電池３（１〜Ｎ−１）の放電を停止する（売電モードに変更する）必要がない。このため、制御部６０は、蓄電池３（１〜Ｎ−１）のモードがエコモードであると判断した場合に放電停止処理を終了する。また、制御部６０は、蓄電池３（１〜Ｎ−１）のモードがエコモードでないと判断した場合にステップＳ１８０へ移行して、ステップＳ１３０と同じ要領で蓄電池３（１〜Ｎ−１）のモードをエコモードに変更する。
【００８４】
以上のように、制御部６０は、蓄電システム１（１〜Ｎ）に対してエコモードが設定されている場合に、蓄電池３（１〜Ｎ−１）を一時的に売電モードに変更し、当該売電モードの設定（放電開始時間及び放電終了時間）を利用して蓄電池３（１〜Ｎ）の放電を停止することができる。これによれば、制御部６０は、既存のモードを利用して（新たにモードを作ることなく）、売電放電状態を抑制し、太陽光発電部２（１〜Ｎ）の電力を有効に活用することができる。
【００８５】
以上の如く、第一実施形態に係る電力供給システム１は、自然エネルギーを利用して発電可能であると共に当該発電された電力を負荷Ｈへと供給可能な第Ｎ太陽光発電部２（Ｎ）（発電部）を有する第Ｎ蓄電システム１（Ｎ）（第一の供給部）と、前記第Ｎ蓄電システム１（Ｎ）よりも前記負荷Ｈ側に配置され、前記第Ｎ蓄電システム１（Ｎ）で発電された電力及び系統電源Ｋからの電力を充電可能であると共に、当該充電された電力を放電して前記負荷Ｈへと供給可能な第一蓄電池３（１）から第Ｎ−１蓄電池３（Ｎ−１）まで（蓄電池）を有する第一蓄電システム１（１）から第Ｎ−１蓄電システム１（Ｎ−１）まで（第二の供給部）と、前記系統電源Ｋへと逆潮流される電力を検出可能な第Ｎセンサ５（Ｎ）（検出部）と、前記第Ｎセンサ５（Ｎ）の検出結果を取得可能であると共に前記第一蓄電池３（１）から第Ｎ−１蓄電池３（Ｎ−１）までを制御可能に構成され、前記第Ｎセンサ５（Ｎ）が前記逆潮流される電力を検出した場合に、前記第一蓄電池３（１）から第Ｎ−１蓄電池３（Ｎ−１）までの放電を規制する制御部６０と、を具備するものである。
【００８６】
このように構成することにより、売電放電状態となることを抑制できるため、第Ｎ太陽光発電部２（Ｎ）で発電した電力を負荷Ｈで有効に活用することができる。
【００８７】
また、前記制御部６０は、前記第Ｎセンサ５（Ｎ）が前記逆潮流される電力を検出した場合に、前記第一蓄電池３（１）から第Ｎ−１蓄電池３（Ｎ−１）までを放電不能な状態に変更するものである。
【００８８】
このように構成することにより、蓄電池３（１〜Ｎ−１）の放電を停止して売電放電状態となることを抑制できるため、第Ｎ太陽光発電部２（Ｎ）で発電した電力を負荷Ｈで有効に活用することができる。
【００８９】
また、電力の供給態様として、前記第Ｎ太陽光発電部２（Ｎ）で発電した電力の売電を目的とする売電モード（第一のモード）を有し、前記第一蓄電池３（１）から第Ｎ−１蓄電池３（Ｎ−１）までは、前記売電モードにおいて、放電開始時間（第一の時間）から放電終了時間（第二の時間）までの間、放電可能な状態となり、前記制御部６０は、前記売電モードにおいて、前記第Ｎセンサ５（Ｎ）が前記逆潮流される電力を検出し（ステップＳ１０：ＹＥＳ）、かつ前記放電終了時間が現在の時刻よりも後である場合に（ステップＳ２０：ＮＯ）、前記放電終了時間を前記現在の時刻に設定するものである（ステップＳ３０）。
【００９０】
このように構成することにより、簡単に蓄電池３（１〜Ｎ−１）の放電を停止することができる。
【００９１】
また、前記制御部６０は、前記売電モードにおいて、前記第Ｎセンサ５（Ｎ）が前記逆潮流される電力を検出し、かつ前記放電終了時間が前記現在の時刻よりも後である場合に、前記放電開始時間を発電停止時刻（前記第Ｎ太陽光発電部２（Ｎ）が電力を発電できない時刻）に設定するものである（ステップＳ４０）。
【００９２】
このように構成することにより、太陽光発電部２（１〜Ｎ）が電力を発電できない時刻になってから、蓄電池３（１〜Ｎ−１）を放電させることができる。これによって、売電放電状態となることを抑制しつつ蓄電池３（１〜Ｎ−１）を放電させることができ、蓄電池３（１〜Ｎ−１）に充電した電力を負荷Ｈで有効に活用することができる。
【００９３】
また、電力の供給態様として、前記第Ｎ太陽光発電部２（Ｎ）で発電した電力を前記負荷Ｈで消費することを目的とするエコモード（第二のモード）を有し、前記制御部６０は、前記エコモードにおいて、前記第Ｎセンサ５（Ｎ）が前記逆潮流される電力を検出した場合に（ステップＳ１１０：ＹＥＳ）、前記第一蓄電池３（１）から第Ｎ−１蓄電池３（Ｎ−１）までの前記電力の供給態様を前記売電モードに切り替えるものである（ステップＳ１３０）。
【００９４】
このように構成することにより、電力の供給態様がエコモードである場合に、売電モードを利用して第一蓄電池３（１）から第Ｎ−１蓄電池３（Ｎ−１）までの充電を規制することができる。
【００９５】
また、前記第Ｎ蓄電システム１（Ｎ）は、前記第Ｎ太陽光発電部２（Ｎ）で発電された電力及び前記系統電源Ｋからの電力を充電可能であると共に、当該充電された電力を放電して前記負荷Ｈへと供給可能な第Ｎ蓄電池３（Ｎ）を有する、ものである。
【００９６】
このように構成することにより、第Ｎ太陽光発電部２（Ｎ）で発電した電力を多くの蓄電池に充電することができる。
【００９７】
また、前記第一蓄電システム１（１）から第Ｎ−１蓄電システム１（Ｎ−１）までは、自然エネルギーを利用して発電可能な第一太陽光発電部２（１）から第Ｎ−１太陽光発電部２（Ｎ−１）（発電部）までをさらに有するものである。
【００９８】
このように構成することにより、自然エネルギーを利用して、より多くの電力を発電することができる。
【００９９】
なお、第一実施形態に係る第Ｎ太陽光発電部２（Ｎ）は、本発明に係る第一の供給部の発電部の実施の一形態である。
また、第一実施形態に係る第Ｎ蓄電システム１（Ｎ）は、本発明に係る第一の供給部の実施の一形態である。
また、第一実施形態に係る第一蓄電池３（１）から第Ｎ−１蓄電池３（Ｎ−１）までは、本発明に係る第二の供給部の蓄電池の実施の一形態である。
また、第一実施形態に係る第一蓄電システム１（１）から第Ｎ−１蓄電システム１（Ｎ−１）までは、本発明に係る第二の供給部の実施の一形態である。
また、第一実施形態に係る第Ｎセンサ５（Ｎ）は、本発明に係る検出部の実施の一形態である。
また、第一実施形態に係る売電モードは、本発明に係る第一のモードの実施の一形態である。
また、第一実施形態に係る発電停止時刻は、電力を発電できない時刻の実施の一形態である。
また、第一実施形態に係るエコモードは、本発明に係る第二のモードの実施の一形態である。
また、第一実施形態に係る放電開始時間は、本発明に係る第一の時間の実施の一形態である。
また、第一実施形態に係る放電終了時間は、本発明に係る第二の時間の実施の一形態である。
また、第一実施形態に係る第一太陽光発電部２（１）から第Ｎ−１太陽光発電部２（Ｎ−１）までは、本発明に係る第二の供給部の発電部の実施の一形態である。
また、第一実施形態に係る第Ｎ蓄電池３（Ｎ）は、本発明に係る第一の供給部の蓄電池の実施の一形態である。
【０１００】
次に、第二実施形態に係る電力供給システムについて説明する。
【０１０１】
第二実施形態に係る電力供給システムは、放電停止処理の内容が異なる点を除いて、第一実施形態に係る電力供給システム１と同様に構成される。
【０１０２】
以下では、図６及び図７を参照して、第二実施形態に係る放電停止処理について説明する。
【０１０３】
第二実施形態に係る放電停止処理は、充電開始時間及び充電終了時間を変更する点で、第一実施形態に係る放電停止処理と異なっている。
【０１０４】
まず、初期設定において、蓄電システム１（１〜Ｎ）に対して売電モードが設定されている場合の放電停止処理の内容について説明する。
【０１０５】
図６に示すように、まず、ステップＳ２１０において、制御部６０は、第一実施形態に係るステップＳ１０と同様に、第Ｎ太陽光発電部２（Ｎ）が売電しているか否かを確認する。制御部６０は、第Ｎ太陽光発電部２（Ｎ）が売電していると判断した場合にステップＳ２２０へ移行する。一方、制御部６０は、第Ｎ太陽光発電部２（Ｎ）が売電していないと判断した場合にステップＳ２６０へ移行する。
【０１０６】
ステップＳ２２０において、制御部６０は、第一実施形態に係るステップＳ２０と同じ要領で、蓄電池３（１〜Ｎ−１）の充電開始時間が現在の時刻よりも前であるか否かを確認する。
【０１０７】
仮に、蓄電池３（１〜Ｎ−１）の充電開始時間が現在の時刻よりも前である場合、蓄電池３（１〜Ｎ−１）は、既に充電可能な状態となっている。また、前述の如く、充電開始時間から充電終了時間までの時間帯と放電開始時間から放電終了時間までの時間帯とが重複していた場合、蓄電池３（１〜Ｎ−１）の充電が優先される。この場合、蓄電池３（１〜Ｎ−１）が満充電となっても、蓄電池３（１〜Ｎ−１）の充電が優先されて放電されることはない。以上のように、第二実施形態においては、充電可能な状態となっていれば、放電不能な状態となる。よって、蓄電池３（１〜Ｎ−１）の充電開始時間が現在の時刻よりも前である場合、第Ｎ太陽光発電部２（Ｎ）が売電していても、蓄電池３（１〜Ｎ−１）が放電することはない。第二実施形態においては、このような充電可能、かつ放電不能な状態を、単に「充電可能な状態」と称する。
【０１０８】
また、第Ｎ蓄電池３（Ｎ）は、放電可能な状態であっても（充電開始時間が現在の時刻よりも前でない場合でも）、第Ｎ太陽光発電部２（Ｎ）が売電していると、第Ｎハイブリッドパワコン４（Ｎ）によって放電の必要がないと判断されて、放電が停止される。このように、蓄電池３（１〜Ｎ−１）の充電開始時間が現在の時刻よりも前である場合（ステップＳ２２０：ＹＥＳ）、全ての蓄電池３（１〜Ｎ）が放電不能な状態となっており、売電放電状態にはならない。このため、制御部６０は、ステップＳ２２０において充電開始時間が現在の時刻よりも前であると判断した場合に、放電停止処理を終了する。
【０１０９】
一方、蓄電池３（１〜Ｎ−１）の充電開始時間が現在の時刻よりも前でない場合（ステップＳ２２０：ＮＯ）、蓄電池３（１〜Ｎ−１）は、充電不能な状態（充放電不能な状態、又は充電不能であると共に放電可能な状態）となっている。この場合、第Ｎ太陽光発電部２（Ｎ）等が売電中に蓄電池３（１〜Ｎ−１）が放電し、売電放電状態になる可能性がある。この場合、制御部６０は、ステップＳ２３０へ移行する。
【０１１０】
ステップＳ２３０において、制御部６０は、第一実施形態に係るステップＳ３０と同じ要領で、蓄電池３（１〜Ｎ−１）の充電開始時間を現在の時間に変更する。これにより、制御部６０は、蓄電池３（１〜Ｎ−１）を充電可能な状態にする。これによって、制御部６０は、蓄電池３（１〜Ｎ）に太陽光発電部２（１〜Ｎ）の電力を充電する。制御部６０は、ステップＳ２３０の処理の後、ステップＳ２４０へ移行する。
【０１１１】
ステップＳ２４０において、制御部６０は、第一実施形態に係るステップＳ３０と同じ要領で、蓄電池３（１〜Ｎ−１）の充電終了時間を発電停止時刻（太陽光発電部２（１〜Ｎ）が発電できない時刻）に変更する。これにより、制御部６０は、太陽光発電部２（１〜Ｎ）が発電できなくなるまでの間、蓄電池３（１〜Ｎ−１）を充電可能な状態にすることができる。制御部６０は、ステップＳ２４０の処理の後、ステップＳ２５０へ移行する。
【０１１２】
ステップＳ２５０において、制御部６０は、第一実施形態に係るステップＳ３０と同じ要領で、蓄電池３（１〜Ｎ−１）の放電終了時間を発電開始時刻（太陽光発電部２（１〜Ｎ）が発電できる時刻）に変更する。これにより、制御部６０は、太陽光発電部２（１〜Ｎ）が発電できるようになるまでの間、蓄電池３（１〜Ｎ−１）を放電可能な状態にすることができる。制御部６０は、ステップＳ２５０の処理の後、放電停止処理を終了する。
【０１１３】
これによれば、制御部６０は、蓄電池３（１〜Ｎ−１）の充電を開始して売電放電状態となることを抑制し、（ステップＳ２３０）、負荷Ｈの消費電力を太陽光発電部２（１〜Ｎ）の電力のみで賄うようにすることができる。
【０１１４】
また、第Ｎ太陽光発電部２（Ｎ）が売電していない場合にステップＳ２１０から移行するステップＳ２６０において、制御部６０は、第一実施形態に係るステップＳ１０と同じ要領で、蓄電池３（１〜Ｎ−１）の放電開始時間が現在の時刻よりも前であるか否かを確認する。制御部６０は、放電開始時間が現在の時刻よりも前であると判断した場合に放電停止処理を終了する。制御部６０は、放電開始時間が現在の時刻よりも前でないと判断した場合にステップＳ２７０へ移行する。
【０１１５】
ステップＳ２７０において、制御部６０は、第一実施形態に係るステップＳ３０と同じ要領で、蓄電池３（１〜Ｎ−１）の充電終了時間及び放電開始時間を現在の時間に変更する。これにより、制御部６０は、蓄電池３（１〜Ｎ−１）を充電不能、かつ放電可能な状態にする。これによって、蓄電池３（１〜Ｎ−１）を放電させ、負荷Ｈの消費電力に対して太陽光発電部２（１〜Ｎ）では不足する電力を蓄電池３（１〜Ｎ）で賄うことができる。制御部６０は、ステップＳ２７０の処理の後、放電停止処理を終了する。
【０１１６】
以上によれば、制御部６０は、売電放電状態となる可能性がある場合に（ステップＳ２１０：ＹＥＳ、Ｓ２２０：ＮＯ）、蓄電池３（１〜Ｎ−１）に太陽光発電部２（１〜Ｎ）の電力を充電することができる（ステップＳ２３０〜Ｓ２５０）。これによって、負荷Ｈの消費電力を太陽光発電部２（１〜Ｎ）の電力で賄うだけではなく、負荷Ｈの消費電力に対して余剰となった太陽光発電部２（１〜Ｎ）の電力を、蓄電池３（１〜Ｎ−１）に充電することができる。このため、太陽光発電部２（１〜Ｎ）の電力を有効に活用することができる。
【０１１７】
次に、初期設定において、蓄電システム１（１〜Ｎ）に対してエコモードが設定されている場合の放電停止処理の内容について説明する。
【０１１８】
図７に示すように、まず、ステップＳ３１０において、制御部６０は、第一実施形態に係るステップＳ１１０と同様に、第Ｎ太陽光発電部２（Ｎ）が売電しているかを判断する。制御部６０は、第Ｎ太陽光発電部２（Ｎ）が売電していると判断した場合にステップＳ３２０へ移行する。一方、制御部６０は、第Ｎ太陽光発電部２（Ｎ）が売電していないと判断した場合にステップＳ３７０へ移行する。なお、制御部６０は、ステップＳ３７０へ移行すると、ステップＳ１７０・Ｓ１８０と同様に、必要に応じて蓄電池３（１〜Ｎ−１）のモードをエコモードに変更し、放電停止処理を終了する（ステップＳ３７０・Ｓ３８０）。
【０１１９】
ステップＳ３２０において、制御部６０は、第一実施形態に係るステップＳ１２０と同様に、蓄電池３（１〜Ｎ−１）のモードが売電モードであるか否かを確認する。制御部６０は、蓄電池３（１〜Ｎ−１）のモードが売電モードであると判断した場合にステップＳ３４０へ移行する。一方、制御部６０は、蓄電池３（１〜Ｎ−１）のモードが売電モードでないと判断した場合にステップＳ３３０へ移行する。
【０１２０】
ステップＳ３３０において、制御部６０は、第一実施形態に係るステップＳ１３０と同様に、蓄電池３（１〜Ｎ−１）のモードを売電モードに変更する。制御部６０は、ステップＳ３３０の処理の後、ステップＳ３５０へ移行する。
【０１２１】
ステップＳ３４０〜Ｓ３６０において、制御部６０は、ステップＳ２２０〜Ｓ２４０と同様の処理を行う。すなわち、制御部６０は、蓄電池３（１〜Ｎ−１）の充電開始時間が現在の時刻よりも前であるか否かを確認し（ステップＳ３４０）、充電開始時間が現在の時刻よりも前でないと判断した場合に、蓄電池３（１〜Ｎ−１）の充電開始時間及び充電終了時間を変更する（ステップＳ３５０・Ｓ３６０）。制御部６０は、ステップＳ３６０の処理の後、放電停止処理を終了する。
【０１２２】
以上のように、制御部６０は、蓄電システム１（１〜Ｎ）に対してエコモードが設定されている場合に、蓄電池３（１〜Ｎ−１）を一時的に売電モードに変更し、当該売電モードの充電開始時間及び充電終了時間を利用して売電放電状態を規制することができる。これによれば、制御部６０は、新たにモードを作ることなく、売電放電状態を抑制することができると共に、太陽光発電部２（１〜Ｎ）の電力を蓄電池３（１〜Ｎ−１）に充電することができる。
【０１２３】
以上の如く、第二実施形態に係る電力供給システムにおいて、前記制御部６０は、前記第Ｎセンサ５（Ｎ）が前記逆潮流される電力を検出した場合に、前記第一蓄電池３（１）から第Ｎ−１蓄電池３（Ｎ−１）までを充電可能、かつ放電不能な状態に変更するものである。
【０１２４】
このように構成することにより、負荷Ｈの消費電力に対して余剰となった第Ｎ太陽光発電部２（Ｎ）の電力を蓄電池３（１〜Ｎ）に充電することで売電放電状態を抑制できるため、第Ｎ太陽光発電部２（Ｎ）で発電した電力を負荷Ｈ及び蓄電池３（１〜Ｎ）で有効に活用することができる。
【０１２５】
また、電力の供給態様として、前記第Ｎ太陽光発電部２（Ｎ）で発電した電力の売電を目的とする売電モードを有し、前記第一蓄電池３（１）から第Ｎ−１蓄電池３（Ｎ−１）までは、前記売電モードにおいて、充電開始時間（第三の時間）から充電終了時間（第四の時間）までの間、充電可能、かつ放電不能な状態となり、前記制御部６０は、前記売電モードにおいて、前記第Ｎセンサ５（Ｎ）が前記逆潮流される電力を検出し（ステップＳ３１０：ＹＥＳ）、かつ前記充電開始時間が現在の時刻よりも後である場合に（ステップＳ３４０：ＮＯ）、前記充電開始時間を前記現在の時刻に設定するものである（ステップＳ３５０）。
【０１２６】
このように構成することにより、簡単に蓄電池３（１〜Ｎ−１）の放電を停止することができる。
【０１２７】
また、前記制御部６０は、前記売電モードにおいて、前記第Ｎセンサ５（Ｎ）が前記逆潮流される電力を検出し、かつ前記充電開始時間が前記現在の時刻よりも後である場合に、前記充電終了時間を前記発電停止時刻に設定するものである（ステップＳ３６０）。
【０１２８】
このように構成することにより、第一蓄電池３（１）から第Ｎ−１蓄電池３（Ｎ−１）までに充電した電力を負荷Ｈで有効に活用することができる。
【０１２９】
なお、第一実施形態に係る充電開始時間は、本発明に係る第三の時間の実施の一形態である。
また、第一実施形態に係る充電終了時間は、本発明に係る第四の時間の実施の一形態である。
【０１３０】
次に、図８から図１２までを参照して、第三実施形態に係る電力供給システム３０１について説明する。
【０１３１】
なお、以下において、第一実施形態に係る電力供給システム１と同様に構成される機器については、第一実施形態と同一の符号を付し、その説明を省略する。
【０１３２】
図８に示すように、第三実施形態に係る電力供給システム３０１は、第一蓄電システム１（１）から第Ｎ蓄電システム１（Ｎ）までと、第一太陽光発電システム３７（１）から第Ｎ第一太陽光発電システム３７（Ｎ）までと、制御部３６０と、を具備する。
【０１３３】
第一太陽光発電システム３７（１）は、太陽光を利用して発電された電力を負荷Ｈへと供給するものである。第一太陽光発電システム３７（１）は、第Ｎ蓄電システム１（Ｎ）よりも上流側に配置される。第一太陽光発電システム３７（１）は、第一太陽光発電部３８（１）及び第一発電センサ３９（１）等を具備する。
【０１３４】
第一太陽光発電部３８（１）は、太陽電池パネルや発電した電力を適宜変換するパワコン等を具備する。第一太陽光発電部３８（１）は、電力経路Ｌの第Ｎ接続点Ｐ１（Ｎ）よりも上流側に配置される第一太陽光接続点Ｐ３７（１）と接続される。
【０１３５】
第一発電センサ３９（１）は、電力経路Ｌにおいて系統電源Ｋと第一太陽光接続点Ｐ３７（１）との間に設けられ、当該設けられた箇所を流通する電力の電圧及び電流を検出する。第一発電センサ３９（１）は、第一太陽光発電部３８（１）（パワコン）と接続され、検出結果に関する信号を第一太陽光発電部３８（１）へ出力可能に構成される。
【０１３６】
第二太陽光発電システム（不図示）から第Ｎ太陽光発電システム３７（Ｎ）までは、電力経路Ｌとの接続箇所が異なる点を除いて、第一太陽光発電システム３７（１）と同様に構成される。第二太陽光発電システムから第Ｎ太陽光発電システム３７（Ｎ）までは、電力経路Ｌの第一太陽光接続点Ｐ３７（１）（第一太陽光発電システム３７（１））よりも上流側に順番に接続される（図８に示す第Ｎ−１太陽光接続点Ｐ３７（Ｎ−１）及び第Ｎ太陽光接続点Ｐ３７（Ｎ）参照）。このような第一太陽光発電システム３７（１）から第Ｎ太陽光発電システム３７（Ｎ）までにおいては、第Ｎ太陽光発電システム３７（Ｎ）が最も上流側に配置される。
【０１３７】
制御部３６０は、ハイブリッドパワコン４（１〜Ｎ）及び太陽光発電部３８（１〜Ｎ）と接続される点を除いて、第一実施形態に係る制御部６０と同様に構成される。制御部３６０は、太陽光発電部３８（１〜Ｎ）から出力された信号により、発電センサ３９（１〜Ｎ）の検出結果等に関する情報を取得することができる。
【０１３８】
このように、第三実施形態に係る電力供給システム３０１は、第Ｎ蓄電システム１（Ｎ）よりも上流側に、別の装置（太陽光発電システム３７（１〜Ｎ））が設けられている点で、第一実施形態の電力供給システム１と異なっている。
【０１３９】
このような電力供給システム３０１においては、図９に示すように、第一蓄電システム１（１）から第Ｎ蓄電システム１（Ｎ）までの蓄電池３（１〜Ｎ）（図９では第一蓄電池３（１））が放電することで、売電放電状態となる可能性がある。
【０１４０】
次に、図１０から図１２までを参照して、第三実施形態に係る電力供給システム３０１の放電停止処理について説明する。
【０１４１】
第三実施形態に係る放電停止処理は、第一実施形態に係る放電停止処理と同様に、放電開始時間及び放電終了時間を変更することで、売電放電状態となることを抑制する処理である。第三実施形態に係る放電停止処理は、その処理の対象が第一実施形態に係る放電停止処理と異なっている。
【０１４２】
まず、初期設定において、蓄電システム１（１〜Ｎ）に対して売電モードが設定されている場合の放電停止処理の内容について説明する。
【０１４３】
図１０に示すように、まず、ステップＳ４１０において、制御部３６０は、第一実施形態に係るステップＳ１０と同じ要領で、第Ｎ太陽光発電システム３７（Ｎ）の第Ｎ太陽光発電部３８（Ｎ）が売電しているか否かを確認する。
【０１４４】
第三実施形態において、太陽光を利用して発電するのは、蓄電システム１（１〜Ｎ）の太陽光発電部２（１〜Ｎ）及び太陽光発電システム３７（１〜Ｎ）の太陽光発電部３８（１〜Ｎ）である。当該太陽光発電部２（１〜Ｎ）・３８（１〜Ｎ）のうち、最も上流側に配置されるのは第Ｎ太陽光発電部３８（Ｎ）である。このため、第Ｎ太陽光発電部３８（Ｎ）が売電していなければ、他の太陽光発電部２（１〜Ｎ−１）・３８（１〜Ｎ−１）も売電していないこととなる。よって、制御部６０は、電力供給システム３０１の中で最も上流側に配置される第Ｎ太陽光発電部３８（Ｎ）が売電しているか否かを確認することで、全ての太陽光発電部２（１〜Ｎ）・３８（１〜Ｎ）が売電しているか否かを確認することができる。制御部６０は、第Ｎ太陽光発電部３８（Ｎ）が売電していると判断した場合にステップＳ４２０へ移行する。一方、制御部６０は、第Ｎ太陽光発電部３８（Ｎ）が売電していないと判断した場合にステップＳ４５０へ移行する。
【０１４５】
ステップＳ４２０へ移行した制御部３６０は、第一実施形態に係るステップＳ２０〜Ｓ４０と同じ要領で、全ての蓄電池３（１〜Ｎ）の放電終了時間を確認し、その結果に応じて全ての蓄電池３（１〜Ｎ）の放電開始時間及び放電終了時間を変更する（ステップＳ４２０〜Ｓ４４０）。
【０１４６】
一方、ステップＳ４５０へ移行した制御部３６０は、第一実施形態に係るステップＳ５０〜Ｓ７０と同じ要領で、全ての蓄電池３（１〜Ｎ）の放電開始時間を確認し、その結果に応じて全ての蓄電池３（１〜Ｎ）の放電開始時間及び放電終了時間を変更する（ステップＳ４５０〜Ｓ４７０）。
【０１４７】
このように、第三実施形態に係る制御部３６０は、売電放電状態となる可能性がある場合に（ステップＳ４１０：ＹＥＳ、Ｓ４２０：ＮＯ）、全ての蓄電池３（１〜Ｎ）の放電終了時間を変更している（ステップＳ４３０）。これによって、図１１に示すように、制御部３６０は、第Ｎ蓄電システム１（Ｎ）の上流側に他の発電装置が配置されている場合に、全ての蓄電池３（１〜Ｎ）の放電を停止し、売電放電状態となることを抑制できる。
【０１４８】
次に、初期設定において、蓄電システム１（１〜Ｎ）に対してエコモードが設定されている場合の放電停止処理の内容について説明する。
【０１４９】
図１２に示すように、まず、ステップＳ５１０において、制御部３６０は、ステップＳ４１０と同様に、第Ｎ太陽光発電部３８（Ｎ）が売電しているか否かを確認する。制御部３６０は、第Ｎ太陽光発電部３８（Ｎ）が売電していると判断した場合にステップＳ５２０へ移行する。一方、制御部３６０は、第Ｎ太陽光発電部３８（Ｎ）が売電していないと判断した場合にステップＳ５７０へ移行する。
【０１５０】
ステップＳ５２０へ移行した制御部３６０は、第一実施形態に係るステップＳ１２０〜Ｓ１６０と同じ要領で、全ての蓄電池３（１〜Ｎ）のモード及び放電終了時間を確認し、その結果に応じて全ての蓄電池３（１〜Ｎ）のモード、放電開始時間及び放電終了時間を変更する（ステップＳ５２０〜Ｓ５６０）。
【０１５１】
一方、ステップＳ５７０へ移行した制御部３６０は、第一実施形態に係るステップＳ１７０・Ｓ１８０と同じ要領で、全ての蓄電池３（１〜Ｎ）のモードを確認し、その結果に応じて全ての蓄電池３（１〜Ｎ）のモードをエコモードに変更する（ステップＳ５７０・Ｓ５８０）。
【０１５２】
以上によれば、第三実施形態に係る制御部３６０は、蓄電システム１（１〜Ｎ）に対してエコモードが設定されている場合でも、売電モードの放電開始時間及び放電終了時間を利用して、全ての蓄電池３（１〜Ｎ）の放電を停止することができる。これによって、制御部３６０は、蓄電システム１（１〜Ｎ）に対してエコモードが設定されている場合でも、売電放電状態となることを抑制できる。
【０１５３】
次に、第四実施形態に係る電力供給システムについて説明する。
【０１５４】
第四実施形態に係る電力供給システムは、放電停止処理の内容を除いて、第三実施形態に係る電力供給システム３０１と同様に構成される。第四実施形態に係る放電停止処理は、第二実施形態に係る放電停止処理と同様に、充電開始時間及び充電終了時間を変更することで、売電放電状態となることを抑制する処理である。第四実施形態に係る放電停止処理は、その処理の対象が第二実施形態に係る放電停止処理と異なっている。
【０１５５】
以下では、図１３及び図１４を参照して、第四実施形態に係る電力供給システムの放電停止処理について説明する。
【０１５６】
まず、初期設定において、蓄電システム１（１〜Ｎ）に対して売電モードが設定されている場合の放電停止処理の内容について説明する。
【０１５７】
図１３に示すように、まず、ステップＳ６１０において、制御部３６０は、第三実施形態に係るステップＳ５１０と同様に、第Ｎ太陽光発電部３８（Ｎ）が売電しているかを判断する。制御部３６０は、第Ｎ太陽光発電部３８（Ｎ）が売電していると判断した場合にステップＳ６２０へ移行する。一方、制御部３６０は、第Ｎ太陽光発電部３８（Ｎ）が売電していないと判断した場合にステップＳ６６０へ移行する。
【０１５８】
ステップＳ６２０へ移行した制御部３６０は、第二実施形態に係るステップＳ２２０〜Ｓ２６０と同じ要領で、全ての蓄電池３（１〜Ｎ）のモード及び充電開始時間を確認し、その結果に応じて全ての蓄電池３（１〜Ｎ）の充電開始時間、充電終了時間及び放電終了時間を変更する（ステップＳ６２０〜Ｓ６５０）。
【０１５９】
一方、ステップＳ６６０へ移行した制御部３６０は、第二実施形態に係るステップ２６０・Ｓ２７０と同じ要領で、全ての蓄電池３（１〜Ｎ）の放電開始時間を確認し、その結果に応じて全ての蓄電池３（１〜Ｎ）の充電終了時間及び放電開始時間を変更する（ステップＳ６６０・Ｓ６７０）。
【０１６０】
このように、第四実施形態に係る制御部３６０は、売電放電状態となる可能性がある場合に（ステップＳ６１０：ＹＥＳ、Ｓ６２０：ＮＯ）、全ての蓄電池３（１〜Ｎ）の充電開始時間を変更している（ステップＳ６３０）。これによって、制御部３６０は、第Ｎ蓄電システム１（Ｎ）の上流側に他の発電装置が配置されている場合に、全ての蓄電池３（１〜Ｎ）の充電を開始し、売電放電状態となることを抑制できる。
【０１６１】
次に、初期設定において、蓄電システム１（１〜Ｎ）に対してエコモードが設定されている場合の放電停止処理の内容について説明する。
【０１６２】
図１４に示すように、まず、ステップＳ７１０において、制御部３６０は、ステップＳ６１０と同様に、第Ｎ太陽光発電部３８（Ｎ）が売電しているかを判断する。制御部３６０は、第Ｎ太陽光発電部３８（Ｎ）が売電していると判断した場合にステップＳ７２０へ移行する。一方、制御部３６０は、第Ｎ太陽光発電部３８（Ｎ）が売電していないと判断した場合にステップＳ７７０へ移行する。
【０１６３】
ステップＳ７２０へ移行した制御部３６０は、第二実施形態に係るステップＳ３２０〜Ｓ３６０と同じ要領で、全ての蓄電池３（１〜Ｎ）のモード及び充電開始時間を確認し、その結果に応じて全ての蓄電池３（１〜Ｎ）のモード、充電開始時間及び充電終了時間を変更する（ステップＳ７２０〜Ｓ７６０）。
【０１６４】
一方、ステップＳ７７０へ移行した制御部３６０は、第二実施形態に係るステップＳ３７０・Ｓ３８０と同じ要領で、全ての蓄電池３（１〜Ｎ）のモードを確認し、その結果に応じて全ての蓄電池３（１〜Ｎ）のモードをエコモードに変更する（ステップＳ７７０・Ｓ７８０）。
【０１６５】
以上によれば、第四実施形態に係る制御部３６０は、蓄電システム１（１〜Ｎ）に対してエコモードが設定されている場合でも、売電モードの充電開始時間及び充電終了時間を利用して、全ての蓄電池３（１〜Ｎ）の充電を開始することができる。これによって、制御部３６０は、蓄電システム１（１〜Ｎ）に対してエコモードが設定されている場合でも、売電放電状態となることを抑制できる。
【０１６６】
なお、第三実施形態及び第四実施形態に係る第一太陽光発電部３８（１）から第Ｎ太陽光発電部３８（Ｎ）までは、本発明に係る第一の供給部の発電部の実施の一形態である。
また、第三実施形態及び第四実施形態に係る第一太陽光発電システム３７（１）から第Ｎ太陽光発電システム３７（Ｎ）までは、本発明に係る第一の供給部の実施の一形態である。
また、第三実施形態及び第四実施形態に係る第一蓄電池３（１）から第Ｎ蓄電池３（Ｎ）までは、本発明に係る第二の供給部の蓄電池の実施の一形態である。
また、第三実施形態及び第四実施形態に係る第一蓄電システム１（１）から第Ｎ蓄電システム１（Ｎ）までは、本発明に係る第二の供給部の実施の一形態である。
また、第三実施形態及び第四実施形態に係る第Ｎ発電センサ３９Ｎは、本発明に係る検出部の実施の一形態である。
【０１６７】
次に、図１５から図１９までを参照して、第五実施形態に係る電力供給システム５０１について説明する。
【０１６８】
なお、以下において、第一実施形態に係る電力供給システム１と同様に構成される機器については、第一実施形態と同一の符号を付し、その説明を省略する。
【０１６９】
図１５に示すように、第五実施形態に係る電力供給システム５０１は、第一蓄電システム１（１）から第Ｎ蓄電システム１（Ｎ）までと、第一蓄電池システム５７（１）から第Ｎ蓄電池システム５７（Ｎ）までと、制御部５６０と、を具備する。
【０１７０】
第一蓄電池システム５７（１）は、電力を充放電するためのものである。第一蓄電池システム５７（１）は、蓄電システム１（１〜Ｎ）よりも下流側に配置される。第一蓄電池システム５７（１）は、第一蓄電池５８（１）、第一パワコン５９（１）及び第一蓄電池センサ６０（１）等を具備する。
【０１７１】
第一蓄電池５８（１）は、第一蓄電システム１（１）の第一蓄電池３（１）と同様に構成される。第一パワコン５９（１）は、第一蓄電池５８（１）と接続され、第一蓄電池５８（１）に充電される電力及び第一蓄電池５８（１）から放電される電力を適宜変換する。第一パワコン５９（１）は、電力経路Ｌの第一接続点Ｐ１（１）よりも下流側に配置される第一蓄電池接続点Ｐ５７（１）と接続される。
【０１７２】
第一蓄電池センサ６０（１）は、電力経路Ｌにおいて第一蓄電池接続点Ｐ５７（１）と第二蓄電池システムが接続される第二蓄電池接続点（不図示）との間に設けられ、当該設けられた箇所を流通する電力の電圧及び電流を検出する。第一蓄電池センサ６０（１）は、第一パワコン５９（１）と接続され、検出結果に関する信号を第一パワコン５９（１）へ出力可能に構成される。
【０１７３】
第二蓄電池システム（不図示）から第Ｎ蓄電池システム５７（Ｎ）までは、電力経路Ｌとの接続箇所が異なる点を除いて、第一蓄電池システム５７（１）と同様に構成される。第二蓄電池システムから第Ｎ蓄電池システム５７（Ｎ）までは、電力経路Ｌの第一蓄電池接続点Ｐ５７（１）（第一蓄電池システム５７（１））と第一接続点Ｐ１（１）（第一蓄電システム１（１））との間に順番に接続される（図１５に示す第Ｎ蓄電池接続点Ｐ５７（Ｎ）参照）。このような第一蓄電池システム５７（１）から第Ｎ蓄電池システム５７（Ｎ）までにおいては、第Ｎ蓄電池システム５７（Ｎ）が最も上流側に配置される。
【０１７４】
このように構成される第一蓄電池システム５７（１）から第Ｎ蓄電池システム５７（Ｎ）までは、売電モードが設定されている場合に、放電開始時間及び放電終了時間により設定される時間帯に放電を行うと共に、充電開始時間及び充電終了時間により設定される時間帯に充電を行う。また、第一蓄電池システム５７（１）から第Ｎ蓄電池システム５７（Ｎ）までは、エコモードが設定されている場合に、太陽光発電部２（１〜Ｎ）の電力を充電すると共に、必要に応じて当該充電した電力を放電する。
【０１７５】
制御部５６０は、ハイブリッドパワコン４（１〜Ｎ）及びパワコン５９（１〜Ｎ）と接続される点を除いて、第一実施形態に係る制御部６０と同様に構成される。制御部５６０は、パワコン５９（１〜Ｎ）から出力された信号により、蓄電池センサ６０（１〜Ｎ）の検出結果等に関する情報を取得することができる。
【０１７６】
このように、第五実施形態に係る電力供給システム５０１は、第一蓄電システム１（１）よりも下流側に、別の装置（蓄電池システム５７（１〜Ｎ））が設けられている点で、第一実施形態の電力供給システム１と異なっている。
【０１７７】
このような電力供給システム５０１においては、図１６に示すように、第一蓄電池システム５７（１）から第Ｎ蓄電池システム５７（Ｎ）までの蓄電池５８（１〜Ｎ）及び第一蓄電システム１（１）から第Ｎ−１蓄電システム１（Ｎ−１）までの蓄電池３（１〜Ｎ）（図１６では第一蓄電池５８（１））が放電することで、売電放電状態となる可能性がある。
【０１７８】
次に、図１７から図１９までを参照して、第五実施形態に係る電力供給システム５０１の放電停止処理について説明する。
【０１７９】
第五実施形態に係る放電停止処理は、第一実施形態に係る放電停止処理と同様に、放電開始時間及び放電終了時間を変更することで、売電放電状態となることを抑制する処理である。第五実施形態に係る放電停止処理は、その処理の対象が第一実施形態に係る放電停止処理と異なっている。
【０１８０】
まず、初期設定において、蓄電システム１（１〜Ｎ）及び蓄電池システム５７（１〜Ｎ）に対して売電モードが設定されている場合の放電停止処理の内容について説明する。
【０１８１】
図１７に示すように、まず、ステップＳ８１０において、制御部５６０は、第一実施形態に係るステップＳ１０と同様に、第Ｎ太陽光発電部２（Ｎ）が売電しているか否かを確認する。
【０１８２】
第五実施形態において、太陽光を利用して発電するのは、第一実施形態と同様に、蓄電システム１（１〜Ｎ）の太陽光発電部２（１〜Ｎ）である。このため、第Ｎ太陽光発電部２（Ｎ）が売電していなければ、他の太陽光発電部２（１〜Ｎ−１）も売電していないこととなる。このため、制御部５６０は、第一実施形態と同様に、第Ｎ太陽光発電部２（Ｎ）が売電しているか否かを確認することで、全ての太陽光発電部２（１〜Ｎ）が売電しているか否かを確認する。制御部５６０は、第Ｎ太陽光発電部２（Ｎ）が売電していると判断した場合にステップＳ８２０へ移行する。一方、制御部５６０は、第Ｎ太陽光発電部２（Ｎ）が売電していないと判断した場合にステップＳ８５０へ移行する。
【０１８３】
ステップＳ８２０へ移行した制御部５６０は、第一実施形態に係るステップＳ２０〜Ｓ４０と同じ要領で、第Ｎ蓄電システム１（Ｎ）の第Ｎ蓄電池３（Ｎ）以外の蓄電池、すなわち蓄電池３（１〜Ｎ−１）・５８（１〜Ｎ）の放電終了時間を確認し、その結果に応じて当該蓄電池３（１〜Ｎ−１）・５８（１〜Ｎ）の放電開始時間及び放電終了時間を変更する（ステップＳ８２０〜Ｓ８４０）。なお、以下においては、第Ｎ蓄電池３（Ｎ）以外の蓄電池を、「その他の蓄電池３（１〜Ｎ−１）・５８（１〜Ｎ）」と称する。
【０１８４】
一方、ステップＳ８５０へ移行した制御部５６０は、第一実施形態に係るステップＳ５０〜Ｓ７０と同じ要領で、その他の蓄電池３（１〜Ｎ−１）・５８（１〜Ｎ）の放電開始時間を確認し、その結果に応じてその他の蓄電池３（１〜Ｎ−１）・５８（１〜Ｎ）の放電開始時間及び放電終了時間を変更する（ステップＳ８５０〜Ｓ８７０）。
【０１８５】
このように、第五実施形態に係る制御部５６０は、売電放電状態となる可能性がある場合に（ステップＳ８１０：ＹＥＳ、Ｓ８２０：ＮＯ）、その他の蓄電池３（１〜Ｎ−１）・５８（１〜Ｎ）の放電開始時間を変更している（ステップＳ８３０）。これによって、図１８に示すように、制御部３６０は、第一蓄電システム１（１）の下流側に他の蓄電装置が配置されている場合に、その他の蓄電池３（１〜Ｎ−１）・５８（１〜Ｎ）の放電を停止し、売電放電状態となることを抑制できる。
【０１８６】
次に、初期設定において、蓄電システム１（１〜Ｎ）及び蓄電池システム５７（１〜Ｎ）に対してエコモードが設定されている場合の放電停止処理の内容について説明する。
【０１８７】
図１９に示すように、まず、ステップＳ９１０において、制御部５６０は、第一実施形態に係るステップＳ１１０と同様に、第Ｎ太陽光発電部２（Ｎ）が売電しているか否かを確認する。制御部５６０は、第Ｎ太陽光発電部２（Ｎ）が売電していると判断した場合にステップＳ９２０へ移行する。一方、制御部５６０は、第Ｎ太陽光発電部２（Ｎ）が売電していないと判断した場合にステップＳ９７０へ移行する。
【０１８８】
ステップＳ９２０へ移行した制御部５６０は、第一実施形態に係るステップＳ１２０〜Ｓ１６０と同じ要領で、その他の蓄電池３（１〜Ｎ−１）・５８（１〜Ｎ）のモード及び放電終了時間を確認し、その結果に応じてその他の蓄電池３（１〜Ｎ−１）・５８（１〜Ｎ）のモード、放電開始時間及び放電終了時間を変更する（ステップＳ９２０〜Ｓ９６０）。
【０１８９】
一方、ステップＳ９７０へ移行した制御部５６０は、第一実施形態に係るステップＳ１７０・Ｓ１８０と同じ要領で、その他の蓄電池３（１〜Ｎ−１）・５８（１〜Ｎ）のモードを確認し、その結果に応じてその他の蓄電池３（１〜Ｎ−１）・５８（１〜Ｎ）のモードをエコモードに変更する（ステップＳ９７０・Ｓ９８０）。
【０１９０】
以上によれば、第五実施形態に係る制御部５６０は、蓄電システム１（１〜Ｎ）及び蓄電池システム５７（１〜Ｎ）に対してエコモードが設定されている場合でも、売電モードの放電開始時間及び放電終了時間を利用して、その他の蓄電池３（１〜Ｎ−１）・５８（１〜Ｎ）の放電を停止することができる。これによって、制御部５６０は、蓄電システム１（１〜Ｎ）及び蓄電池システム５７（１〜Ｎ）に対してエコモードが設定されている場合でも、売電放電状態となることを抑制できる。
【０１９１】
次に、第六実施形態に係る電力供給システムについて説明する。
【０１９２】
第六実施形態に係る電力供給システムは、放電停止処理の内容を除いて、第五実施形態に係る電力供給システム５０１と同様に構成される。第六実施形態に係る放電停止処理は、第二実施形態に係る放電停止処理と同様に、充電開始時間及び充電終了時間を変更することで、売電放電状態となることを抑制する処理である。第六実施形態に係る放電停止処理は、その処理の対象が第二実施形態に係る放電停止処理と異なっている。
【０１９３】
以下では、図２０及び図２１を参照して、第六実施形態に係る電力供給システムの放電停止処理について説明する。
【０１９４】
まず、初期設定において、蓄電システム１（１〜Ｎ）及び蓄電池システム５７（１〜Ｎ）に対して売電モードが設定されている場合の放電停止処理の内容について説明する。
【０１９５】
図２０に示すように、まず、ステップＳ１０１０において、制御部５６０は、第二実施形態に係るステップＳ２１０と同様に、第Ｎ太陽光発電部２（Ｎ）が売電しているか否かを確認する。制御部５６０は、第Ｎ太陽光発電部２（Ｎ）が売電していると判断した場合にステップＳ１０２０へ移行する。一方、制御部５６０は、第Ｎ太陽光発電部２（Ｎ）が売電していないと判断した場合にステップＳ１０６０へ移行する。
【０１９６】
ステップＳ１０２０へ移行した制御部５６０は、第二実施形態に係るステップＳ２２０〜Ｓ２６０と同じ要領で、その他の蓄電池３（１〜Ｎ−１）・５８（１〜Ｎ）のモード及び充電開始時間を確認し、その結果に応じてその他の蓄電池３（１〜Ｎ−１）・５８（１〜Ｎ）の充電開始時間、充電終了時間及び放電終了時間を変更する（ステップＳ１０２０〜Ｓ１０５０）。
【０１９７】
一方、ステップＳ１０６０へ移行した制御部５６０は、第二実施形態に係るステップ２６０・Ｓ２７０と同じ要領で、その他の蓄電池３（１〜Ｎ−１）・５８（１〜Ｎ）の放電開始時間を確認し、その結果に応じてその他の蓄電池３（１〜Ｎ−１）・５８（１〜Ｎ）の充電終了時間及び放電開始時間を変更する（ステップＳ１０６０・Ｓ１０７０）。
【０１９８】
このように、第六実施形態に係る制御部５６０は、売電放電状態となる可能性がある場合に（ステップＳ１０１０：ＹＥＳ、Ｓ１０２０：ＮＯ）、その他の蓄電池３（１〜Ｎ−１）・５８（１〜Ｎ）の充電開始時間を変更している（ステップＳ１０３０）。これによって、制御部５６０は、第Ｎ蓄電システム１（Ｎ）の下流側に他の蓄電装置が配置されている場合に、その他の蓄電池３（１〜Ｎ−１）・５８（１〜Ｎ）の充電を開始し、売電放電状態となることを抑制できる。
【０１９９】
次に、初期設定において、蓄電システム１（１〜Ｎ）及び蓄電池システム５７（１〜Ｎ）に対してエコモードが設定されている場合の放電停止処理の内容について説明する。
【０２００】
図２１に示すように、まず、ステップＳ１１１０において、制御部５６０は、ステップＳ１０１０と同様に、第Ｎ太陽光発電部２（Ｎ）が売電しているか否かを確認する。制御部５６０は、第Ｎ太陽光発電部２（Ｎ）が売電していると判断した場合にステップＳ１１２０へ移行する。一方、制御部５６０は、第Ｎ太陽光発電部２（Ｎ）が売電していないと判断した場合にステップＳ１１７０へ移行する。
【０２０１】
ステップＳ１１２０へ移行した制御部５６０は、第二実施形態に係るステップＳ３２０〜Ｓ３６０と同じ要領で、その他の蓄電池３（１〜Ｎ−１）・５８（１〜Ｎ）のモード及び充電開始時間を確認し、その結果に応じてその他の蓄電池３（１〜Ｎ−１）・５８（１〜Ｎ）のモード、充電開始時間及び充電終了時間を変更する（ステップＳ１１２０〜Ｓ１１６０）。
【０２０２】
一方、ステップＳ１１７０へ移行した制御部５６０は、第二実施形態に係るステップＳ３７０・Ｓ３８０と同じ要領で、その他の蓄電池３（１〜Ｎ−１）・５８（１〜Ｎ）のモードを確認し、その結果に応じてその他の蓄電池３（１〜Ｎ−１）・５８（１〜Ｎ）のモードをエコモードに変更する（ステップＳ１１７０・Ｓ１１８０）。
【０２０３】
以上によれば、第六実施形態に係る制御部５６０は、蓄電システム１（１〜Ｎ）及び蓄電池システム５７（１〜Ｎ）に対してエコモードが設定されている場合でも、売電モードの充電開始時間及び充電終了時間を利用して、その他の蓄電池３（１〜Ｎ−１）・５８（１〜Ｎ）の充電を開始することができる。これによって、制御部５６０は、蓄電システム１（１〜Ｎ）及び蓄電池システム５７（１〜Ｎ）に対してエコモードが設定されている場合でも、売電放電状態となることを抑制できる。
【０２０４】
なお、第五実施形態及び第六実施形態に係る第Ｎ太陽光発電部２（Ｎ）は、本発明に係る第一の供給部の発電部の実施の一形態である。
また、第五実施形態及び第六実施形態に係る第Ｎ蓄電システム１（Ｎ）は、本発明に係る第一の供給部の実施の一形態である。
また、第五実施形態及び第六実施形態に係るその他の蓄電池３（１〜Ｎ−１）・５８（１〜Ｎ）は、本発明に係る第二の供給部の蓄電池の実施の一形態である。
また、第五実施形態及び第六実施形態に係る第一蓄電システム１（１）から第Ｎ−１蓄電システム１（Ｎ−１）まで及び第一蓄電池システム５７（１）から第Ｎ蓄電池システム５７（Ｎ）までは、本発明に係る第二の供給部の実施の一形態である。
また、第五実施形態及び第六実施形態に係る第Ｎセンサ５（Ｎ）は、本発明に係る検出部の実施の一形態である。
【０２０５】
以上、本発明の実施形態を説明したが、本発明は上記構成に限定されるものではなく、特許請求の範囲に記載された発明の範囲内で種々の変更が可能である。
【０２０６】
例えば、電力供給システムは、住宅へ電力を供給するものとしたが、これに限定されるものではなく、オフィス等へ電力を供給する構成であってもよい。
【０２０７】
また、発電部は、自然エネルギーとして太陽光を利用するものとしたが、これに限定されるものではなく、例えば、水力、風力、潮力等を利用するものであってもよい。
【０２０８】
また、蓄電池３（１〜Ｎ）は、リチウムイオン電池によって構成されるものとしたが、これに限定されるものではなく、例えば、ニッケル水素電池等によって構成されるものであってもよい。
【０２０９】
また、制御部６０は、放電終了時間や充電開始時間を設定することで、蓄電池３（１〜Ｎ−１）の放電を停止するものとしたが、これに限定されるものではなく、例えば、蓄電池の放電を停止する命令をハイブリッドパワコン４（１〜Ｎ）に送信することで蓄電池の放電を停止してもよい。
【０２１０】
また、制御部６０は、ステップＳ２０・Ｓ１４０において、蓄電池３（１〜Ｎ−１）の放電終了時間が現在の時刻と同一である場合、必ずしも放電終了時間等を変更する（ステップＳ３０・Ｓ１５０へ移行する）必要はなく、例えば、放電停止処理を終了してもよい。
【０２１１】
また、制御部６０は、ステップＳ２２０・Ｓ３４０において、蓄電池３（１〜Ｎ−１）の充電開始時間が現在の時刻と同一である場合、必ずしも充電開始時間等を変更する（ステップＳ２３０・Ｓ３５０へ移行する）必要はなく、例えば、放電停止処理を終了してもよい。
【０２１２】
また、発電停止時刻は、２０時に設定されるものとしたが、太陽光発電部２（１〜Ｎ）が発電できない時刻であれば、これに限定されるものではなく、任意の時刻に設定することができる。また、発電停止時刻は、一年を通して同じ値が設定されている必要はなく、例えば、月日に応じた日没の時刻等に基づいて適宜変更される（一日毎に再設定される）ものであってもよい。
【０２１３】
また、発電開始時刻は、６時に設定されるものとしたが、太陽光発電部２（１〜Ｎ）が発電を開始する時刻であれば、これに限定されるものではなく、任意の時刻に設定することができる。また、発電開始時刻は、一年を通して同じ値が設定されている必要はなく、例えば、月日に応じた日の出の時刻等に基づいて適宜変更される（一日毎に再設定される）ものであってもよい。
【０２１４】
また、電力供給システム１は、必ずしも蓄電システム１（１〜Ｎ）を具備する必要はなく、例えば、図２２に示す第七実施形態に係る電力供給システム７０１のように、蓄電システム１（１〜Ｎ）を具備しない構成であってもよい。
【０２１５】
第七実施形態に係る電力供給システム７０１は、第三実施形態に係る太陽光発電システム３７（１〜Ｎ）と、第五実施形態に係る蓄電池システム５７（１〜Ｎ）と、制御部７６０と、を具備する。太陽光発電システム３７（１〜Ｎ）は、第Ｎ蓄電池システム５７（Ｎ）よりも上流側に配置される。制御部７６０は、第三実施形態及び第四実施形態に係る放電停止処理と同様に、第Ｎ太陽光発電システム３７（Ｎ）の第Ｎ太陽光発電部３８（Ｎ）が売電しているか否かを確認して放電停止処理を行う。また、制御部７６０は、当該判断結果等に応じて、蓄電池５８（１〜Ｎ）のモードや充電開始時間等を適宜変更する。このように、電力供給システムは、蓄電システム１（１〜Ｎ）を具備しないものに対しても適用可能である。
【符号の説明】
【０２１６】
１                電力供給システム
１（１〜Ｎ−１）  蓄電システム（第二の供給部）
３（１〜Ｎ−１）  蓄電池
１（Ｎ）          第Ｎ蓄電システム（第一の供給部）
２（Ｎ）          第Ｎ太陽光発電部（発電部）
５（Ｎ）          第Ｎセンサ（検出部）
Ｈ                負荷
Ｋ                系統電源
【図１】
2018107845.tif 000003
【図２】
2018107845.tif 000004
【図３】
2018107845.tif 000005
【図４】
2018107845.tif 000006
【図５】
2018107845.tif 000007
【図６】
2018107845.tif 000008
【図７】
2018107845.tif 000009
【図８】
2018107845.tif 000010
【図９】
2018107845.tif 000011
【図１０】
2018107845.tif 000012
【図１１】
2018107845.tif 000013
【図１２】
2018107845.tif 000014
【図１３】
2018107845.tif 000015
【図１４】
2018107845.tif 000016
【図１５】
2018107845.tif 000017
【図１６】
2018107845.tif 000018
【図１７】
2018107845.tif 000019
【図１８】
2018107845.tif 000020
【図１９】
2018107845.tif 000021
【図２０】
2018107845.tif 000022
【図２１】
2018107845.tif 000023
【図２２】
2018107845.tif 000024